(57)【要約】【課題】尿パッドを併用した際に、着用者から排泄された尿等を尿パッドで好適に受けることができるおむつカバーを提供する。【解決手段】前後方向ｙと幅方向ｘを有し、前後方向ｙに前側部Ｐと後側部Ｑとこれらの間に位置する股部Ｒとを有するおむつカバー本体２と、おむつカバー本体２の肌側面に前後方向ｙに延びるように設けられた第１フラップ５を有するおむつカバー１であって、第１フラップ５は、おむつカバー本体２の幅方向ｘの中心線Ｃの両側にそれぞれ設けられ、前後方向ｙに延びる第１弾性部材６が設けられ、幅方向ｘの外方に傾倒するように形成されている。【選択図】図１
2014124510.tif 000002
【特許請求の範囲】
【請求項１】
前後方向と幅方向を有し、前後方向に前側部と後側部とこれらの間に位置する股部とを有するおむつカバー本体と、
前記おむつカバー本体の肌側面に前後方向に延びるように設けられた第１フラップを有するおむつカバーであって、
前記第１フラップは、前記おむつカバー本体の幅方向の中心線の両側にそれぞれ設けられ、前後方向に延びる第１弾性部材が設けられ、幅方向の外方に傾倒するように形成されていることを特徴とするおむつカバー。
【請求項２】
前記第１フラップは、前後方向の端部の外側面が前記おむつカバー本体に接合されている請求項１に記載のおむつカバー。
【請求項３】
前記第１フラップは、前記おむつカバー本体から立ち上がる起点となる第１基部を有し、
前記第１基部が前記おむつカバー本体の幅方向の中心線から３０ｍｍ以内の領域に位置するように、前記第１フラップが前記おむつカバー本体に設けられている請求項１または２に記載のおむつカバー。
【請求項４】
前記おむつカバーは、前記おむつカバー本体の肌側面に前後方向に延びる第２フラップをさらに有し、
前記第２フラップは、前記第１フラップの幅方向の外方にそれぞれ設けられ、前後方向に延びる第２弾性部材が設けられている請求項１〜３のいずれか一項に記載のおむつカバー。
【請求項５】
前記第２フラップは、前後方向の端部の内側面が前記おむつカバー本体に接合され、幅方向の内方に傾倒するように形成されている請求項４に記載のおむつカバー。
【請求項６】
前記第１フラップと前記第２フラップは、倒伏した状態で、前記第１フラップが前記第２フラップの下側に位置するように形成されている請求項４または５に記載のおむつカバー。
【請求項７】
前記第１フラップは、前記おむつカバー本体から立ち上がる起点となる第１基部を有し、
前記おむつカバー本体には、前記第１基部の幅方向の外方に前後方向に延びる第３弾性部材が設けられている請求項１〜６のいずれか一項に記載のおむつカバー。
【請求項８】
前記第１フラップは、前記おむつカバー本体から立ち上がる起点となる第１基部と、前記おむつカバー本体から立ち上がった先端となる第１自由端を有し、
前記第１基部から前記第１自由端までの長さが、前記第１基部から前記おむつカバー本体の幅方向の中心線までの長さよりも長くなるように形成されている請求項１〜７のいずれか一項に記載のおむつカバー。
【請求項９】
前記第１フラップは、前記おむつカバー本体の前側に偏って設けられている請求項１〜８のいずれか一項に記載のおむつカバー。
【請求項１０】
前記おむつカバー本体の前後方向に対する相対位置として前側端を０％とし後側端を１００％としたとき、前記第１フラップの後側端が、前記おむつカバー本体の前後方向の７５％以下の領域に位置する請求項９に記載のおむつカバー。
【請求項１１】
前記第１フラップは、前記おむつカバー本体の前後方向の全長にわたって設けられている請求項１〜８のいずれか一項に記載のおむつカバー。
【発明の詳細な説明】
【技術分野】
【０００１】
本発明は、尿パッドを着用者の股部に装着するためのおむつカバーに関するものである。
【背景技術】
【０００２】
従来、尿パッドを着用者の股部に当てて装着するためのおむつカバーが知られている。おむつカバーは肌側面に尿パッドを配置して用いられるが、着用者から排泄された尿等を尿パッドが好適に受けることができるように、おむつカバーの肌側面に適切に尿パッドを配置することが求められる。
【０００３】
肌側面に尿パッドを適切に配置するためのおむつカバーとして、例えば特許文献１〜４には様々なおむつカバーが開示されている。特許文献１、２に開示されたおむつカバーでは、肌側面に一対の立ち上がりフラップが設けられ、これらの立ち上がりフラップの間に尿パッドを配置して用いている。特許文献３には、内層と外層の２層から形成されたパンツタイプのおむつカバーが開示され、このおむつカバーは内層が弾性伸縮材料から形成され、内層の肌側面に配された尿パッドが着用者の肌に密着できるように形成されている。特許文献４にはパンツタイプのおむつカバーが開示され、このおむつカバーは股部に前後端が固定されたパッド固定シートが設けられ、股部を横断して腰周りの両側部に延びるように湾曲状に弾性部材が配されている。特許文献４に開示されたおむつカバーは、パッド固定シート上に尿パッドを載せて使用することで、尿パッドを着用者の股間にフィットさせることができる。
【先行技術文献】
【特許文献】
【０００４】
【特許文献１】特開平８−１５０１６３号公報
【特許文献２】特開２００２−２７２７８７号公報
【特許文献３】特開平１１−２１６１６４号公報
【特許文献４】特開２００７−１６７５３４号公報
【発明の概要】
【発明が解決しようとする課題】
【０００５】
上記に説明したように、従来、尿パッドを併用するためのおむつカバーが様々知られているが、おむつカバーは、着用者から排泄された尿等を尿パッドで好適に受けて、尿等が漏れ出ないように構成されることが望まれる。この点で、従来のおむつカバーには改善の余地があった。
【０００６】
本発明は前記事情に鑑みてなされたものであり、その目的は、尿パッドを併用した際に、着用者から排泄された尿等を尿パッドで好適に受けることができるおむつカバーを提供することにある。
【課題を解決するための手段】
【０００７】
本発明者らが検討したところ、おむつカバーの肌側面に尿パッドを配置して用いる場合、尿パッドは着用者の肌に近づけて配置することが好ましいものの、尿パッドを着用者の肌に密着させすぎてもかえって、尿等が尿パッドに速やかに吸収されずに尿パッドから溢れ出しやすくなることが明らかになった。すなわち、尿パッドは着用者の肌に適度に近づけつつ、尿等が溢れ出さないような工夫をすることが重要であることが分かった。
【０００８】
つまり、前記課題を解決することができた本発明のおむつカバーとは、前後方向と幅方向を有し、前後方向に前側部と後側部とこれらの間に位置する股部とを有するおむつカバー本体と、おむつカバー本体の肌側面に前後方向に延びるように設けられた第１フラップを有するおむつカバーであって、第１フラップは、おむつカバー本体の幅方向の中心線の両側にそれぞれ設けられ、前後方向に延びる第１弾性部材が設けられ、幅方向の外方に傾倒するように形成されているところに特徴を有する。
【０００９】
本発明のおむつカバーは、第１フラップの上に尿パッドを載せて使用することができ、第１フラップが第１弾性部材の収縮力によって立ち上がることにより、尿パッドが着用者の肌に向かって持ち上げられる。この際、第１フラップが幅方向の外方に傾倒するように立ち上がることにより、尿パッドの幅方向の外側部が幅方向の中央部よりも着用者の肌に近付くように持ち上げられ、尿パッドの幅方向の中央部で着用者の肌に強く押し当てられずに、着用者から排泄された尿等を尿パッドで好適に受けることができるようになる。その結果、着用者から排出された尿等が尿パッドの表面で幅方向に溢れ出にくくなり、尿等が尿パッドで好適に吸収されるようになる。
【００１０】
第１フラップは、前後方向の端部の外側面がおむつカバー本体に接合されていることが好ましい。第１フラップの外側面を前後方向の端部でおむつカバー本体に接合することにより、第１フラップを幅方向の外方に傾倒するように形成しやすくなる。
【００１１】
第１フラップは、おむつカバー本体から立ち上がる起点となる第１基部を有し、第１基部がおむつカバー本体の幅方向の中心線から３０ｍｍ以内の領域に位置するように、第１フラップがおむつカバー本体に設けられていることが好ましい。このように第１フラップが設けられていれば、尿パッドが第１フラップの上に載せられて好適に持ち上げられやすくなる。
【００１２】
おむつカバーは、おむつカバー本体の肌側面に前後方向に延びる第２フラップをさらに有し、第２フラップは、第１フラップの幅方向の外方にそれぞれ設けられ、前後方向に延びる第２弾性部材が設けられていることが好ましい。第１フラップの幅方向の外方に第２フラップが設けられることにより、第１フラップの上に載せられた尿パッドから尿等が溢れ出ても、おむつカバーからの横漏れを防止することができる。
【００１３】
第２フラップは、前後方向の端部の内側面がおむつカバー本体に接合され、幅方向の内方に傾倒するように形成されていることが好ましい。第２フラップが幅方向の内方に傾倒するように形成されることより、尿パッドから溢れ出た尿等が第２フラップを越えて漏れ出しにくくなる。
【００１４】
第１フラップと第２フラップは、倒伏した状態で、第１フラップが第２フラップの下側に位置するように形成されていることが好ましい。このように第１フラップと第２フラップが形成されていれば、第１フラップおよび／または第２フラップの立ち上がる高さを確保しつつ、第２フラップの立ち上がりが第１フラップによって邪魔されにくくなる。そのため、第２フラップによって尿等の横漏れが好適に防止される。また、尿パッドを第２フラップの間に配置して、第１フラップの上に載せる操作を簡単に行うことができる。
【００１５】
第１フラップは、おむつカバー本体から立ち上がる起点となる第１基部を有し、おむつカバー本体には、前記第１基部の幅方向の外方に前後方向に延びる第３弾性部材が設けられていることが好ましい。おむつカバー本体に第３弾性部材を設けることにより、第３弾性部材の収縮力によって第１フラップが立ち上がりやすくなる。
【００１６】
第１フラップは、おむつカバー本体から立ち上がる起点となる第１基部と、おむつカバー本体から立ち上がった先端となる第１自由端を有し、第１基部から第１自由端までの長さが、第１基部からおむつカバー本体の幅方向の中心線までの長さよりも長くなるように形成されていることが好ましい。このように第１フラップが形成されていれば、一方の第１フラップが幅方向の内方に倒れそうになったとしても、他方の第１フラップが邪魔になって一方の第１フラップが幅方向の内方に完全に倒れるのが阻止されやすくなる。従って、第１フラップが幅方向の外方に傾倒した状態を維持しやすくなる。
【００１７】
第１フラップは、おむつカバー本体の前側に偏って設けられていることが好ましい。第１フラップがおむつカバー本体の前側に偏って設けられれば、着用者の臀部付近でおむつカバーを嵩張らずに形成することができ、おむつカバーの着用感を向上させることができる。特に、第１フラップは、おむつカバー本体の前後方向に対する相対位置として前側端を０％とし後側端を１００％としたとき、第１フラップの後側端が、おむつカバー本体の前後方向の７５％以下の領域に位置するように設けられることが好ましい。
【００１８】
第１フラップは、おむつカバー本体の前後方向の全長にわたって設けられていてもよい。この場合、様々な大きさの尿パッドを第１フラップ上に載せることができ、また尿パッドが前後方向に多少ずれても尿パッドが第１フラップによって好適に持ち上げられるようになる。
【発明の効果】
【００１９】
本発明のおむつカバーによれば、第１フラップの上に尿パッドを載せて使用した際に、尿パッドの幅方向の外側部が幅方向の中央部よりも着用者の肌に近付くように持ち上げられ、着用者から排泄された尿等を尿パッドで好適に受けることができる。そのため、着用者から排出された尿等が尿パッドの表面で幅方向に溢れ出にくくなり、尿等が尿パッドで好適に吸収されるようになる。
【図面の簡単な説明】
【００２０】
【図１】本発明のおむつカバーの一例を表し、おむつカバーを肌側面から見た平面図を表す。
【図２】図１に示したおむつカバーのＩＩ−ＩＩ断面図を表す。
【図３】図１に示したおむつカバーのＩＩＩ−ＩＩＩ断面図を表す。
【図４】図２において尿パッドをおむつカバーの上に載せた状態でのおむつカバーの使用例を表す。
【図５】本発明のおむつカバーの他の例を表し、おむつカバーを肌側面から見た平面図を表す。
【図６】図５に示したおむつカバーのＶＩ−ＶＩ断面図を表し、第１フラップと第２フラップが倒伏した状態を示す。
【図７】図５に示したおむつカバーのＶＩ−ＶＩ断面図を表し、第１フラップと第２フラップが起立した状態を示す。
【図８】本発明のおむつカバーのさらに他の例を表し、おむつカバーの幅方向断面図を表す。
【発明を実施するための形態】
【００２１】
本発明のおむつカバーは、おむつカバー本体と、おむつカバー本体の肌側面に設けられた第１フラップを有する。本発明のおむつカバーは、おむつカバー本体の肌側面に設けられた第１フラップの上に尿パッドを配して用いられ、第１フラップによって尿パッドを着用者の肌に向かって持ち上げて、着用者から排泄された尿等を尿パッドで好適に受けることができるようにしたものである。尿パッドとしては、使い捨ての吸収性物品や布製のおむつが挙げられる。
【００２２】
おむつカバーの形状は特に限定されない。おむつカバーは、着用時にパンツ形状に形成するオープンタイプのおむつカバーであってもよく、ウェスト開口部と一対の脚開口部とが形成されたパンツタイプのおむつカバーであってもよい。前者の場合、例えば、おむつカバーは着用前は止着部材が備えられたシート状であり、着用時に当該止着部材によりパンツ形状に形成される。
【００２３】
おむつカバー本体は、前後方向と幅方向を有する。おむつカバー本体の前後方向は、おむつカバーを着用した際の着用者の股間の前後方向に延びる方向に相当する。おむつカバー本体の幅方向とは、おむつカバー本体と同一面上にあり前後方向と直交する方向を意味し、おむつカバーを着用した際の着用者の左右方向に相当する。また、本発明において、おむつカバーの肌側面とは、おむつカバーを着用した際の着用者の肌に向く側の面を意味し、おむつカバーの外側面とは、おむつカバーを着用した際の着用者とは反対側を向く面を意味する。
【００２４】
おむつカバー本体は、前後方向に前側部と後側部とこれらの間に位置する股部とを有する。前側部とは、おむつカバーの前後方向の一方端に形成され、おむつカバー着用の際に着用者の腹側に当てる部分を意味する。後側部とは、おむつカバーの前後方向の他方端に形成され、おむつカバー着用の際に着用者の背側に当てる部分を意味する。股部とは、前側部と後側部との間に位置し、着用者の股間に当てる部分を意味する。おむつカバーは、装着した際、股部の両側に着用者の脚を通すための開口が形成される。
【００２５】
おむつカバーを構成する材料（おむつカバー本体やフラップの材料）は特に限定されない。おむつカバーを構成するシート部材としては、不織布、織布、編布、プラスチックフィルム、およびこれらの積層体等を使用できる。おむつカバーを構成するシート部材として不織布、織布、編布等の布材料を用いる場合、布材料を構成する繊維としては、例えば、ポリオレフィン、ポリエステル、ポリアミド等の合成繊維、パルプ、綿、絹等の天然繊維を用いればよい。おむつカバーを構成するシート部材としてプラスチックフィルムを用いる場合は、例えば、ポリオレフィン、ポリエステル、ポリアミド等の合成樹脂を用いればよい。おむつカバーは、液透過性であっても、液不透過性であってもよい。
【００２６】
おむつカバー本体は、１層のシート部材から構成されていてもよく、複数層のシート部材から構成されていてもよい。おむつカバー本体は、例えば、親水性の内側シートに液不透過性の外側シートが積層されて形成される。このようにおむつカバー本体を構成することにより、尿等の漏れを防止しつつ、おむつカバーの肌触りを向上させることができる。
【００２７】
上記説明したシート部材として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２８】
本発明のおむつカバーには、おむつカバー本体の肌側面に、前後方向に延びる第１フラップが、おむつカバー本体の幅方向の中心線（前後方向に延びる中心線）の両側にそれぞれ設けられている。第１フラップは、尿パッドを載せるために設けられる。第１フラップには前後方向に延びる第１弾性部材が設けられており、第１フラップが第１弾性部材の収縮力によって立ち上がることにより、第１フラップの上に載せられた尿パッドが着用者の肌に向かって持ち上げられる。その結果、着用者から排泄された尿等を確実に受けることが容易になる。
【００２９】
本発明において、おむつカバー本体の幅方向の中心線は、おむつカバーに設けられた弾性部材（第１〜第３弾性部材等）の収縮力を解除した状態で定められる。すなわち、おむつカバーに弾性部材が設けられる場合は、おむつカバーから弾性部材を除去したり、弾性部材を細かく切断するなどして、弾性部材による収縮力が発現しないようにして、その状態でおむつカバー本体の幅方向の中心線を規定するものとする。
【００３０】
第１フラップは、幅方向の外方に傾倒するように形成されている。すなわち、第１フラップは第１弾性部材の収縮力によって着用者の肌に向かって立ち上がるように形成されているが、この際、幅方向の外方に傾倒して立ち上がるように形成されている。第１フラップが幅方向の外方に傾倒するように立ち上がることにより、尿パッドの幅方向の外側部が幅方向の中央部よりも着用者の肌に近付くように持ち上げられ、尿パッドの幅方向の中央部で着用者の肌に強く押し当てられずに、着用者から排泄された尿等を尿パッドで好適に受けることができるようになる。その結果、着用者から排出された尿等が尿パッドの表面で幅方向に溢れ出にくくなり、尿等が尿パッドで好適に吸収されやすくなる。
【００３１】
第１フラップは、おむつカバー本体から立ち上がる起点となる第１基部と、おむつカバー本体から立ち上がった先端となる第１自由端を有する。第１フラップは、第１基部から第１自由端までの間の部分が、おむつカバー本体から立ち上がるように形成されている。
【００３２】
第１弾性部材は伸張状態で第１フラップに設けられることが好ましい。第１弾性部材は、第１フラップの第１自由端の近傍に設けられることが好ましく、例えば、少なくとも第１自由端から１５ｍｍ以内（より好ましくは１０ｍｍ以内）の領域に設けられることが好ましい。
【００３３】
第１フラップが幅方向の外方に傾倒するように形成されるために、第１フラップは、前後方向の端部の外側面がおむつカバー本体に接合されていることが好ましい。このとき、第１フラップは、少なくとも第１自由端の近傍で前後方向の端部の外側面がおむつカバー本体に接合されていることが好ましく、幅方向の全体がおむつカバー本体に接合されていることがより好ましい。また、第１フラップは、前後方向の両端部の外側面がおむつカバー本体に接合されていることがより好ましい。なお第１フラップの外側面とは、第１フラップが立ち上がった状態で、第１フラップの幅方向に対する外側面を意味する。第１フラップは、例えば、接着剤、熱融着、超音波融着等の接合手段によりおむつカバー本体に接合されればよい。第１フラップの前後方向の端部の外側面がおむつカバー本体に接合される場合、第１弾性部材は第１フラップの前後方向の端部には設けられず、第１フラップの前後方向の中間部に設けられることが好ましい。
【００３４】
第１フラップはおむつカバー本体の幅方向の中心線の両側にそれぞれ設けられるが、尿パッドが第１フラップによって好適に持ち上げられるようにするために、第１フラップは、おむつカバー本体から立ち上がる起点となる第１基部が、おむつカバー本体の幅方向の中心線の近傍に位置するように設けられることが好ましい。具体的には、第１基部は、おむつカバー本体の幅方向の中心線から３０ｍｍ以内の領域に位置することが好ましく、２５ｍｍ以内の領域に位置することがより好ましく、２０ｍｍ以内の領域に位置することがさらに好ましく、１５ｍｍ以内の領域に位置することが特に好ましい。また、おむつカバー本体の幅方向の中心線の両側に設けられた第１フラップの第１基部間の長さは６０ｍｍ以下が好ましく、５０ｍｍ以下がより好ましく、４０ｍｍ以下がさらに好ましく、３０ｍｍ以下が特に好ましい。
【００３５】
第１フラップは、おむつカバー本体から立ち上がる起点となる第１基部からおむつカバー本体から立ち上がった先端となる第１自由端までの長さが、第１基部からおむつカバー本体の幅方向の中心線までの長さよりも長くなるように形成されていることが好ましい。このように第１フラップが形成されていれば、第１フラップが幅方向の外方に傾倒した状態を維持しやすくなる。すなわち、一方の第１フラップが幅方向の内方に倒れそうになったとしても、他方の第１フラップが邪魔になって一方の第１フラップが幅方向の内方に完全に倒れるのが阻止されやすくなる。また、第１フラップの立ち上がる高さを確保しやすくなり、尿パッドを着用者の肌の近くまで持ち上げることが容易になる。より好ましくは、第１フラップは、第１基部から第１自由端までの長さが、おむつカバー本体の幅方向の中心線の両側に設けられた第１フラップの第１基部間の長さよりも長くなるように形成される。
【００３６】
第１フラップは、おむつカバー本体の少なくとも股部に設けられることが好ましい。例えば、第１フラップは、おむつカバー本体の前後方向の全長にわたって設けられる。この場合、様々な大きさの尿パッドを第１フラップ上に載せることができ、また尿パッドが前後方向に多少ずれても尿パッドが第１フラップによって好適に持ち上げられるようになる。
【００３７】
第１フラップは、おむつカバー本体の前後方向の一部に設けられてもよい。この場合、第１フラップはおむつカバー本体の前側に偏って設けられることが好ましい。第１フラップがおむつカバー本体の前側に偏って設けられれば、着用者の臀部付近でおむつカバーを嵩張らずに形成することができ、おむつカバーの着用感を向上させることができる。尿パッドを本発明のおむつカバーの肌側面に配して用いる場合、尿パッドはおむつカバー本体よりも前後方向の長さが短くなることが多く、この場合、尿パッドはおむつカバー本体の前側に偏って配されることとなる。つまり、第１フラップをおむつカバー本体の前側に偏って設けることにより、尿パッドが配される部分に第１フラップを設け、尿パッドがほとんど配されないおむつカバー本体の後側部分には第１フラップを設けないようにすることができる。その結果、おむつカバーを着用の際に着用者の臀部付近に第１フラップが存在しないようにすることができ、臀部付近のおむつカバーの着用感を向上させることができる。特に、本発明のおむつカバーを仰臥位の状態で使用する場合、第１フラップをおむつカバー本体の前側に偏って設けることにより、おむつカバーの臀部付近がすっきりと形成され、着用者は臀部付近に違和感を覚えにくくなる。
【００３８】
第１フラップをおむつカバー本体の前後方向の一部に設ける場合、第１フラップは具体的には次のような位置に配することが好ましい。すなわち、おむつカバー本体の前後方向に対する相対位置として前側端を０％とし後側端を１００％としたとき、第１フラップの後側端がおむつカバー本体の前後方向の７５％以下の領域に位置するように、第１フラップを配することが好ましい。より好ましくは第１フラップの後側端はおむつカバー本体の前後方向の７０％以下の領域に位置し、さらに好ましくはおむつカバー本体の前後方向の６５％以下の領域に位置する。このように第１フラップをおむつカバー本体に配することにより、着用者の臀部付近に第１フラップが存在しないようにすることができる。なお、第１フラップの後側端は、おむつカバー本体の前後方向の５０％以上の領域に位置することが好ましい。第１フラップの前側端の位置は特に限定されないが、おむつカバー本体の前後方向の０％〜２５％の領域にあることが好ましく、０％〜２０％の領域にあることがより好ましい。
【００３９】
本発明のおむつカバーには、おむつカバー本体の肌側面に、第１フラップに加え第２フラップが設けられることが好ましい。第２フラップは、前後方向に延び、第１フラップの幅方向の外方に設けられる。つまり、第２フラップは、おむつカバー本体の幅方向の中心線の両側に設けられた第１フラップの幅方向の外方にそれぞれ設けられる。従ってこの場合、おむつカバー本体の肌側面には、第１フラップと第２フラップと合わせて合計４つのフラップが設けられることとなる。第２フラップは、尿等の横漏れを防ぐために設けられる。
【００４０】
第２フラップには前後方向に延びる第２弾性部材が設けられており、第２フラップが第２弾性部材の収縮力によって立ち上がることにより、第１フラップの上に載せられた尿パッドから尿等が溢れ出ても、おむつカバーからの横漏れを防止することができる。第２フラップは、おむつカバー本体から立ち上がる起点となる第２基部と、おむつカバー本体から立ち上がった先端となる第２自由端を有する。第２フラップは、第２基部から第２自由端までの間の部分が、おむつカバー本体から立ち上がるように形成されている。
【００４１】
第２弾性部材は伸張状態で第２フラップに設けられることが好ましい。第２弾性部材は、第２フラップの第２自由端の近傍に設けられることが好ましく、例えば、少なくとも第２自由端から１５ｍｍ以内（より好ましくは１０ｍｍ以内）の領域に設けられることが好ましい。
【００４２】
第２フラップは、幅方向の内方に傾倒するように形成されていることが好ましい。すなわち、第２フラップは第２弾性部材の収縮力によって着用者の肌に向かって立ち上がるように形成されているが、この際、幅方向の内方に傾倒して立ち上がるように形成されていることが好ましい。第２フラップが幅方向の内方に傾倒するように立ち上がることにより、尿パッドから溢れ出た尿等が第２フラップを越えて漏れ出しにくくなる。
【００４３】
第２フラップが幅方向の内方に傾倒するように形成されるために、第２フラップは、前後方向の端部の内側面がおむつカバー本体に接合されていることが好ましい。このとき、第２フラップは、少なくとも第２自由端の近傍で前後方向の端部の内側面がおむつカバー本体に接合されていることが好ましく、幅方向の全体がおむつカバー本体に接合されていることがより好ましい。また、第２フラップは、前後方向の両端部の内側面がおむつカバー本体に接合されていることがより好ましい。なお第２フラップの内側面とは、第２フラップが立ち上がった状態で、第２フラップの幅方向に対する内側面を意味する。第２フラップは、例えば、接着剤、熱融着、超音波融着等の接合手段によりおむつカバー本体に接合されればよい。第２フラップの前後方向の端部の内側面がおむつカバー本体に接合される場合、第２弾性部材は第２フラップの前後方向の端部には設けられず、第２フラップの前後方向の中間部に設けられることが好ましい。
【００４４】
第２フラップは、おむつカバー本体の少なくとも股部に設けられることが好ましい。第２フラップは、おむつカバー本体の前後方向の全長にわたって設けられてもよく、おむつカバー本体の前後方向の一部に設けられてもよい。なお、第２フラップによっておむつカバーからの尿等の横漏れを防止する点から、第２フラップは、おむつカバー本体の前後方向の６０％以上（より好ましくは７０％以上であり、さらに好ましくは８０％以上である）の長さを有することが好ましい。
【００４５】
第２フラップは、第１フラップと重ならないように設けられることが好ましい。すなわち、第１フラップと第２フラップは、倒伏した状態で互いに離間するように形成されていることが好ましい。このように第１フラップと第２フラップが形成されていれば、おむつカバーを使用する際、第１フラップと第２フラップの両方が立ち上がりやすくなる。なお、第１フラップと第２フラップが倒伏した状態とは、第１フラップと第２フラップがおむつカバー本体上に倒れた状態を意味する。
【００４６】
第２フラップは第１フラップと重なるように設けられてもよい。この場合、第１フラップと第２フラップは、倒伏した状態で、第１フラップが第２フラップの下側に位置するように形成されていることが好ましい。このように第１フラップと第２フラップが形成されていれば、第１フラップおよび／または第２フラップの立ち上がる高さを確保しつつ、第２フラップの立ち上がりが第１フラップによって邪魔されにくくなり、第２フラップによって尿等の横漏れが好適に防止される。また、尿パッドを第２フラップの間に配置して、第１フラップの上に載せる操作を簡単に行うことができるようになる。
【００４７】
おむつカバー本体には、第１基部の幅方向の外方に前後方向に延びる第３弾性部材が設けられることが好ましい。このようにおむつカバー本体に第３弾性部材を設けることにより、第３弾性部材の収縮力によっておむつカバー本体が第１フラップを着用者の肌に向かって押し上げる形となり、第１フラップが立ち上がりやすくなる。なお、おむつカバーに第２フラップが設けられる場合は、第３弾性部材は、おむつカバー本体の第１基部と第２基部の間に前後方向に延びるように設けられることが好ましい。
【００４８】
第３弾性部材は、おむつカバー本体に、第１フラップが倒伏した状態で第１フラップの第１自由端が重なる位置から幅方向に２０ｍｍ以内の領域（より好ましくは１５ｍｍ以内の領域であり、さらに好ましくは１０ｍｍ以内の領域）に設けられることが好ましい。このようにおむつカバー本体に第３弾性部材を設けることにより、第３弾性部材の収縮力によって第１フラップがさらに立ち上がりやすくなる。
【００４９】
上記に説明した各弾性部材としては、ポリウレタン糸、ポリウレタンフィルム、天然ゴム等のおむつカバーに通常用いられる弾性伸縮材料を用いることができる。弾性部材は、伸張状態でホットメルト接着剤、熱融着、超音波融着等の接合手段で固定されることが好ましい。例えば、繊度１００〜２，５００ｄｔｅｘのポリウレタン糸を、倍率１．１倍〜５．０倍に伸張して配設し、固定する。接合手段としては、好ましくは、ゴム系のホットメルト接着剤である。
【００５０】
第１フラップと第２フラップの形成方法について説明する。第１フラップと第２フラップの形成方法は特に限定されない。第１フラップと第２フラップは、おむつカバー本体に別部材が取り付けられて形成されてもよく、おむつカバー本体を構成する部材を適宜折り返すことにより形成してもよい。第１フラップは液透過性であっても液不透過性であってもよい。第２フラップは液不透過性であることが好ましい。
【００５１】
第１フラップは、例えば、おむつカバー本体にセンターシートが取り付けられて形成される。第１フラップをおむつカバー本体とは別部材のセンターシートから構成すれば、第１フラップに所望する性質を付与しやすくなる。例えば、目付の大きいセンターシートを用いることにより、第１フラップに剛性を持たせたりすることが容易になる。センターシートは、例えば、接着剤、熱融着、超音波融着等の接合手段によりおむつカバー本体に接合すればよい。
【００５２】
おむつカバー本体の幅方向の左側と右側に設けられる第１フラップは、１つのセンターシートから構成されていてもよく、それぞれ異なるセンターシートから構成されていてもよい。前者の場合、センターシートの幅方向の中央部がおむつカバー本体に接合され、中央部の幅方向の両側に第１フラップがそれぞれ形成されることとなる。センターシートの幅方向の両側には第１弾性部材が設けられる。この場合、おむつカバー本体の左側と右側に設けられる第１フラップを互いに密接に設けることが可能となり、第１フラップの立ち上がる高さを確保しやすくなる。
【００５３】
おむつカバー本体の左側と右側に設けられる第１フラップがそれぞれ異なるセンターシートから構成される場合、センターシートは、おむつカバー本体の左側に設けられる左側センターシートと右側に設けられる右側センターシートから構成され、おむつカバー本体の幅方向の左側に設けられる第１フラップが左側センターシートから形成され、おむつカバー本体の幅方向の右側に設けられる第１フラップが右側センターシートから形成されることとなる。左側センターシートと右側センターシートの幅方向の外方部分には第１弾性部材が設けられる。このように第１フラップが構成されれば、左側の第１フラップと右側の第１フラップを間隔を空けて設ける場合に、センターシートの使用量を低減することができる。
【００５４】
第２フラップは、例えば、おむつカバー本体にサイドシートが取り付けられて形成される。この場合、サイドシートはおむつカバー本体の幅方向の両側に設けられ、サイドシートの幅方向の内方部分に第２弾性部材が設けられる。第２フラップをおむつカバー本体と別部材のサイドシートから構成すれば、第２フラップに所望する性質を付与しやすくなる。サイドシートは、例えば、接着剤、熱融着、超音波融着等の接合手段によりおむつカバー本体に接合すればよい。
【００５５】
次に、本発明のおむつカバーについて、図面を参照して説明する。なお本発明は、図面に示された実施態様に限定されるものではない。
【００５６】
図１〜図４には、本発明のおむつカバーの一例を示した。図１は、オープンタイプのおむつカバーを肌側面から見た平面図を表し、図２は図１に示したおむつカバーのＩＩ−ＩＩ断面図を表し、図３は図１に示したおむつカバーのＩＩＩ−ＩＩＩ断面図を表し、図４は、図２において尿パッドをおむつカバー上に載せた状態でのおむつカバーの使用例を表す。本願の図では、矢印ｘが幅方向、矢印ｙが前後方向を表し、矢印ｘ，ｙにより形成される面に対して垂直方向が厚み方向ｚを表す。なお図１では、図面の上側が前後方向の前側に相当し、図面の下側が前後方向の後側に相当する。また図１では、第１フラップと第２フラップが倒伏した状態が示されているが、図２では、第１フラップと第２フラップが起立した状態が示されている。
【００５７】
おむつカバー１（１Ａ）は、前後方向ｙと幅方向ｘを有し、前後方向ｙに前側部Ｐと後側部Ｑとこれらの間に位置する股部Ｒとを有するおむつカバー本体２を有する。おむつカバー本体２は、外側シート４の肌側面に内側シート３が積層されて形成されている。
【００５８】
おむつカバー本体２の後側部Ｑには、左右側端部に止着部材１３が取り付けられている。止着部材１３は基材シート１４に留め具１５が設けられて構成されている。おむつカバー１Ａは、おむつカバー本体２を着用者の股間に当て、留め具１５をおむつカバー本体２の前側部Ｐの外側面に接合することで、装着することができる。留め具１５としては、フック・ループ・ファスナーのフック部材や粘着剤を採用することができる。
【００５９】
図１に示すように、おむつカバー本体２の肌側面には、おむつカバー本体２の幅方向ｘの中央部にセンターシート７が取り付けられている。詳細には、おむつカバー本体２の幅方向ｘの左側に左側センターシート７Ｌが設けられ、おむつカバー本体２の幅方向ｘの右側に右側センターシート７Ｒが設けられている。おむつカバー１Ａでは、左側センターシートから７Ｌからおむつカバー本体２の左側に設けられる第１フラップ５が形成され、右側センターシート７Ｒからおむつカバー本体２の右側に設けられる第１フラップ５が形成されている。
【００６０】
第１フラップ５は、前後方向ｙに延び、おむつカバー本体２の幅方向ｘの中心線Ｃの両側にそれぞれ設けられている。第１フラップ５には、前後方向ｙに延びる第１弾性部材６が設けられている。第１フラップ５は、図３に示すように前後方向ｙの端部の外側面がおむつカバー本体２に接合され、第１弾性部材６の収縮力により立ち上がる際、図２に示すように幅方向ｘの外方に傾倒するように形成されている。おむつカバー１Ａは、第１フラップ５が設けられることにより、図４に示すように第１フラップ５の上に尿パッド２０を載せると、第１フラップ５によって尿パッド２０を着用者の肌に向かって持ち上げることができる。この際、尿パッド２０は、幅方向ｘの外側部が幅方向ｘの中央部よりも着用者の肌に近付くように持ち上げられ、その結果、着用者から排泄された尿等を尿パッド２０で好適に受けることができる。
【００６１】
第１フラップ５は、図２に示すように、おむつカバー本体２から立ち上がる起点となる第１基部５Ｂと、おむつカバー本体２から立ち上がった先端となる第１自由端５Ｆを有し、第１基部５Ｂから第１自由端５Ｆまでの長さが、第１基部５Ｂからおむつカバー本体２の幅方向ｘの中心線Ｃまでの長さよりも長くなるように形成されている。このように第１フラップ５が形成されていれば、第１フラップ５が幅方向ｘの外方に傾倒した状態を維持しやすくなる。
【００６２】
おむつカバー１Ａには、おむつカバー本体２の肌側面に、第１フラップ５の幅方向ｘの外方に、前後方向ｙに延びる第２フラップ８がそれぞれ設けられている。図２に示すように、第２フラップ８は、内側シート３の幅方向ｘの両側にサイドシート１０が取り付けられて形成されている。第２フラップ８は、図２に示すように、おむつカバー本体２から立ち上がる起点となる第２基部８Ｂと、おむつカバー本体２から立ち上がった先端となる第２自由端８Ｆを有し、第２基部８Ｂから第２自由端８Ｆの間の部分が立ち上がるように形成されている。
【００６３】
第２フラップ８には前後方向ｙに延びる第２弾性部材９が設けられ、第２弾性部材９の収縮力により第２フラップ８が立ち上がる。第２フラップ８により、第１フラップ５の上に載せられた尿パッド２０から尿等が溢れ出ても、おむつカバー１Ａからの横漏れを防止することができる。おむつカバー１Ａでは、第２フラップ８は、図３に示すように前後方向ｙの端部の内側面がおむつカバー本体２に接合され、第２弾性部材９の収縮力によって立ち上がる際、図２に示すように幅方向ｘの内方に傾倒するように形成されている。
【００６４】
おむつカバー本体２には、第１基部５Ｂと第２基部８Ｂの間に、前後方向ｙに延びる第３弾性部材１１が設けられている。第３弾性部材１１を設けることにより、第３弾性部材１１の収縮力によっておむつカバー本体２が第１フラップ５を着用者の肌に向かって押し上げる形となり、第１フラップ５が立ち上がりやすくなる。
【００６５】
おむつカバー１Ａは、おむつカバー本体２の前後方向ｙの両端部に、幅方向ｘに延びるウェスト弾性部材１２が設けられている。ウェスト弾性部材１２により着用者の腰周りに沿ったウェストギャザーが形成され、背側や腹側からの尿等の漏れが防止される。
【００６６】
次に、図１〜図４に示したおむつカバーとは異なる態様のおむつカバーについて、図５〜図７を参照しながら説明する。図５は、おむつカバーとしてオープンタイプの使い捨ておむつを肌側面から見た平面図を表し、図６は図５に示したおむつカバーのＶＩ−ＶＩ断面図を表す。図５および図６では、第１フラップと第２フラップが倒伏した状態が示されている。図７も図５に示したおむつカバーのＶＩ−ＶＩ断面図を表すが、図７では、第１フラップと第２フラップが起立した状態が示されている。なお図５〜図７の説明において、上記の説明と重複する部分は説明を省略する。
【００６７】
図５〜図７に示したおむつカバー１（１Ｂ）では、おむつカバー本体２の幅方向ｘの左側と右側に設けられる第１フラップ５が１つのセンターシート７から構成されている。センターシート７は、幅方向ｘの中央部がおむつカバー本体２の肌側面に固定され、中央部の幅方向ｘの両側に第１フラップ５がそれぞれ形成されている。
【００６８】
おむつカバー１Ｂでは、図５に示すように、第１フラップ５がおむつカバー本体２の前側に偏って設けられている。また、第１フラップ５は、おむつカバー本体２の前後方向ｙに対する相対位置として前側端２Ａを０％とし後側端２Ｂを１００％としたとき、第１フラップ５の後側端５Ｅがおむつカバー本体２の前後方向ｙの７５％以下の領域に位置するように設けられている。このように第１フラップ５を配することにより、おむつカバー１Ｂは、着用者の臀部付近を嵩張らずに形成することができ、着用感を向上させることができる。
【００６９】
おむつカバー１Ｂは、図６に示すように、第１フラップ５と第２フラップ８が倒伏した状態で、第１フラップ５が第２フラップ８の下側に位置するように形成されている。このように第１フラップ５と第２フラップ８が形成されていれば、尿パッドを第２フラップ８の間に配置して、第１フラップ５の上に載せる操作を簡単に行うことができる。また、第２フラップ８によって尿等の横漏れが好適に防止される。
【００７０】
図８には、さらに別の態様のおむつカバーの幅方向断面図を示した。なお図８の説明において、上記の説明と重複する部分は説明を省略する。図８に示したおむつカバー１（１Ｃ）は、第１フラップ５が内側シート３をひだ状に折り畳むことにより形成されている。本発明では、このようにおむつカバーを構成してもよい。
【符号の説明】
【００７１】
１，１Ａ，１Ｂ，１Ｃ：おむつカバー
２：おむつカバー本体
３：内側シート
４：外側シート
５：第１フラップ、５Ｂ：第１基部、５Ｆ：第１自由端
６：第１弾性部材
７，７Ｌ，７Ｒ：センターシート
８：第２フラップ、８Ｂ：第２基部、８Ｆ：第２自由端
９：第２弾性部材
１０：サイドシート
１１：第３弾性部材
１３：止着部材
【図１】
2014124510.tif 000003
【図２】
2014124510.tif 000004
【図３】
2014124510.tif 000005
【図４】
2014124510.tif 000006
【図５】
2014124510.tif 000007
【図６】
2014124510.tif 000008
【図７】
2014124510.tif 000009
【図８】
2014124510.tif 000010